(57)【要約】【課題】給電装置が蓄電池のみの状況で駆動している場合に、内蔵する蓄電池より電力供給を外部装置に行うと、蓄電池の電力を使い切ってしまい、自身を駆動させることができなくなる可能性がある。【解決手段】給電装置であって、蓄電池と、商用電源から電力の供給を受ける電源部と、外部装置への非接触無線給電を行う給電部と、前記給電部による非接触無線給電を制御する制御手段とを備え、前記制御手段は、前記電源部が前記商用電源に接続されておらず、前記給電装置が前記蓄電池からの電力により駆動しており、且つ前記蓄電池の電力残量が所定の閾値以上の場合に、前記非接触無線給電を行うように前記給電部を制御し、前記電源部が前記商用電源に接続されておらず、前記給電装置が前記蓄電池からの電力により駆動しており、且つ前記蓄電池の電力残量が前記所定の閾値より少ない場合、非接触無線給電を行わないように前記給電部を制御する。【選択図】図５
2018137921.tif 000002
【特許請求の範囲】
【請求項１】
給電装置であって、
蓄電池と、
商用電源から電力の供給を受ける電源部と、
外部装置への非接触無線給電を行う給電部と、
前記給電部による非接触無線給電を制御する制御手段と
を備え、
前記制御手段は、
前記電源部が前記商用電源に接続されておらず、前記給電装置が前記蓄電池からの電力により駆動しており、且つ前記蓄電池の電力残量が所定の閾値以上の場合に、前記非接触無線給電を行うように前記給電部を制御し、
前記電源部が前記商用電源に接続されておらず、前記給電装置が前記蓄電池からの電力により駆動しており、且つ前記蓄電池の電力残量が前記所定の閾値より少ない場合、非接触無線給電を行わないように前記給電部を制御することを特徴とする給電装置。
【請求項２】
所定の処理の要求を受け付ける受け付け手段を更に有し、
前記制御手段は、前記電源部が前記商用電源に接続されておらず、前記給電装置が前記蓄電池からの電力により駆動しており、且つ前記給電部による非接触無線給電を行っている場合において、前記所定の処理の要求を受け付けた場合、前記所定の処理が終了するまで前記給電部による非接触無線給電を行わないように制御することを特徴とする請求項１に記載の給電装置。
【請求項３】
前記制御手段は、前記給電装置が前記商用電源からの電力により駆動している場合、前記蓄電池の電力残量が前記所定の閾値より少ない場合であっても、前記非接触無線給電を行うように前記給電部を制御することを特徴とする請求項１または２に記載の給電装置。
【請求項４】
前記制御手段は、前記電源部が前記商用電源に接続されている場合、前記蓄電池の電力残量が規定値より小さい場合、前記蓄電池への蓄電を行うように制御することを特徴とする請求項１乃至３のいずれか一項に記載の給電装置。
【請求項５】
前記商用電源から電力により前記蓄電池への充電を行っている際に、前記給電部による非接触無線給電の要求を受け付けた場合、前記蓄電池への充電と前記給電部による給電のいずれを行うかの選択を受け付けるための第１の画面を表示する手段を更に有し、
前記制御手段は、前記第１の画面を介して受け付けた選択に基づいて制御を行うことを特徴とする請求項４に記載の給電装置。
【請求項６】
前記所定の閾値の設定をユーザーから受け付けるための第２の画面を表示する手段を更に有することを特徴とする請求項１乃至５のいずれか一項に記載の給電装置。
【請求項７】
前記第２の画面は、ユーザーから設定される前記所定の閾値の値に応じて前記給電装置が可能な動作の情報を提示することを特徴とする請求項６に記載の給電装置。
【請求項８】
前記蓄電池の電力残量に応じて前記給電装置が可能な動作の情報を保持する保持手段を更に有し、
前記第２の画面は、前記保持手段にて保持された情報に基づいて表示されることを特徴とする請求項７に記載の給電装置。
【請求項９】
前記給電装置は、記録装置であり、
前記所定の処理は、印刷処理であることを特徴とする請求項２に記載の給電装置。
【請求項１０】
蓄電池と、商用電源から電力の供給を受ける電源部と、外部装置への非接触無線給電を行う給電部とを備える給電装置における電力管理方法であって、
前記電源部が前記商用電源に接続されておらず、前記給電装置が前記蓄電池からの電力により駆動しており、且つ前記蓄電池の電力残量が所定の閾値以上の場合に、前記非接触無線給電を行うように前記給電部を制御し、
前記電源部が前記商用電源に接続されておらず、前記給電装置が前記蓄電池からの電力により駆動しており、且つ前記蓄電池の電力残量が前記所定の閾値より少ない場合、非接触無線給電を行わないように前記給電部を制御することを特徴とする電力管理方法。
【請求項１１】
蓄電池と、商用電源から電力の供給を受ける電源部と、外部装置への非接触無線給電を行う給電部とを備えるコンピューターを、
前記電源部が前記商用電源に接続されておらず、前記コンピューターが前記蓄電池からの電力により駆動しており、且つ前記蓄電池の電力残量が所定の閾値以上の場合に、前記非接触無線給電を行うように前記給電部を制御し、
前記電源部が前記商用電源に接続されておらず、前記コンピューターが前記蓄電池からの電力により駆動しており、且つ前記蓄電池の電力残量が前記所定の閾値より少ない場合、非接触無線給電を行わないように前記給電部を制御させる制御手段として機能させるためのプログラム。
【発明の詳細な説明】
【技術分野】
【０００１】
本発明は、給電装置、電力管理方法、およびプログラムに関する。
【背景技術】
【０００２】
近年、無線受電／給電装置の技術の進歩とともに蓄電池を有する家電製品、モバイル端末のみならず車両までにも無線受電／給電装置を搭載する製品分野の広がりを見せている。これによりユーザーの外出先での無線給電装置による蓄電池への電力給電の機会が増えている。無線給電装置による電力の給電方法としては様々な方式があるが、双方向で電力の給電に関する情報の通信を行うため細かな制御が可能となっている。
【０００３】
蓄電池を搭載する家電製品において、その蓄電池の電力を他機に供給する場合、自機が駆動するのに必要な電力までも他機に供給してしまうことでユーザーが自機の機能を使用しようとしても電力が足りずにその機能を活用出来ない可能性がある。
【０００４】
特許文献１では、車両における車内負荷装置への電力供給における給電装置の電力供給源として商用電源と蓄電池を併用している。そして、特定の車内負荷装置による電力給電依頼に対しては商用電源からの給電を行い、それ以外の車内負荷装置からの電力給電依頼に対しては蓄電池から給電を行うことにより自機の駆動に必要な電力を確保する発明が開示されている。
【先行技術文献】
【特許文献】
【０００５】
【特許文献１】特許第４６６１９７８号公報
【発明の概要】
【発明が解決しようとする課題】
【０００６】
蓄電池を備えた装置がいわゆるモバイル型の端末の場合、ユーザーが外出先で商用電源には接続せず蓄電池で装置を駆動させる使用環境が想定される。このような装置が外出先などで商用電源に接続せず、蓄電池を電力源として駆動している場合に、内蔵する蓄電池より電力供給を外部のモバイル端末に行うと、蓄電池の電力を使い切ってしまい、自身を駆動させることができなくなる可能性がある。この場合、ユーザーが必要とする時に自機の駆動電力の不足を防ぐことはできないという課題は残ってしまう。
【課題を解決するための手段】
【０００７】
上記課題を解決するために本願発明は以下の構成を有する。すなわち、給電装置であって、蓄電池と、商用電源から電力の供給を受ける電源部と、外部装置への非接触無線給電を行う給電部と、前記給電部による非接触無線給電を制御する制御手段とを備え、前記制御手段は、前記電源部が前記商用電源に接続されておらず、前記給電装置が前記蓄電池からの電力により駆動しており、且つ前記蓄電池の電力残量が所定の閾値以上の場合に、前記非接触無線給電を行うように前記給電部を制御し、前記電源部が前記商用電源に接続されておらず、前記給電装置が前記蓄電池からの電力により駆動しており、且つ前記蓄電池の電力残量が前記所定の閾値より少ない場合、非接触無線給電を行わないように前記給電部を制御する。
【発明の効果】
【０００８】
本願発明により、蓄電池に蓄積された電力を用いて他機へ給電を行う場合に、自機の駆動に必要な電力量を喪失してしまうことを防止する。
【図面の簡単な説明】
【０００９】
【図１】本願発明に係るシステム構成の例を示す図。
【図２】本願発明に係る電気構成の例を示す図。
【図３】本願発明に係る蓄電池の電力残量と印刷可能枚数との関係を説明するための図。
【図４】本願発明に係る画面構成の例を示す図。
【図５】本願発明に係る蓄電池駆動時の動作フローを示す図。
【図６Ａ】本願発明に係る商用電源駆動時の動作フローを示す図。
【図６Ｂ】本願発明に係る商用電源駆動時の動作フローを示す図。
【発明を実施するための形態】
【００１０】
以下、本発明に係る実施形態について、図面を参照して詳細に説明する。
【００１１】
［システム構成］
図１は、本発明に係る給電装置として、電力を蓄える蓄電池を備えた記録装置の構成例を示す。本実施形態において、記録装置は、第１の機能および第２の機能を備えるものとする。ここでは、説明をわかりやすくするため、第１の機能をプリンタなどの記録機能（画像形成機能）とし、第２の機能をモバイル端末といった外部受電機器に無線で電力を供給できる給電機能として説明する。しかしながら、これらの機能に限定するものではなく、例えば、第１の機能として記録機能以外の機能であってもよい。また、本願発明を適用可能な給電装置の例として記録装置を例に挙げて説明するが、これに限定するものではなく、他のモバイル機器であってもよい。
【００１２】
記録装置１０は、持ち運び可能なプリンタであって、キャリッジ（不図示）、蓄電池２０、無線給電部３０、ユーザーインターフェイスである入力部４０、および表示部５０を備える。入力部４０と表示部５０は、タッチスクリーンパネルのように入力部と表示部が一体型であってもよい。キャリッジ（不図示）は、記録用紙への印刷用インクを保持するインクタンクと記録ヘッドが一体となったインクカートリッジが搭載されている。
【００１３】
電源ユニット６０は、記録装置１０の駆動や内蔵する蓄電池の充電のための電力を商用電源（不図示）もしくは外部電源より受け取るための電源部である。外部受電機器７０は、無線給電部３０を介して電力が供給される装置である。外部受電機器７０の例として、スマートフォンやタブレット型端末などのモバイル端末が挙げられる。
【００１４】
ホストＰＣ８０は、記録装置１０と有線のＵＳＢケーブルなどのＩ／Ｆケーブル９０もしくは無線にて通信可能に接続され、記録装置１０で印刷処理を行わせるための記録データの送信やその他の制御データの送受信を行うホスト装置である。なお、記録装置１０に搭載する入力部４０や表示部５０は、ホストＰＣ８０のキーボード、マウス（不図示）といった入力装置やモニターにて代用されていてもよい。
【００１５】
電源ＳＷ１００は、記録装置１０のシステムを起動させるためのスイッチである。電源ＳＷ１００は、ユーザーに押下されることにより、記録装置１０内部にある電気制御ＩＣであるＣＰＵ１１に割り込み信号が入力され、記録装置１０内の各種システムが起動（ソフトＯＮ）する。起動後、記録装置１０は、コマンド入力待ちの状態であるスタンバイ状態となる。
【００１６】
図２は、本発明に係る各装置の電気構成の概略を示す図である。
【００１７】
ＣＰＵ１１は、記録装置１０の装置全体を制御するプロセッサユニットである。記録装置１０の印刷データ処理、印刷動作のためのモータドライバー（不図示）への制御信号の転送、表示部５０へのデータやコマンドの転送や無線給電部３０とのデータ転送や蓄電池２０の電力残量検知回路１９からの情報を元に残量の監視などを行う。
【００１８】
ＲＯＭ１２は、記録装置１０の動作プログラムを格納する記憶部である。ＲＡＭ１３は、ＣＰＵ１１が演算処理を行う際にデータを一時格納するための記憶部である。ＥＥＰＲＯＭ１４は、制御に必要な各種パラメータテーブルなどを格納するための記憶部である。
【００１９】
ＵＩ部１６は、記録装置１０の状態を表示や各種設定を行うためのユーザーインターフェイス部であり、入力部４０及び表示部５０を含んで構成される。
【００２０】
機能部１５は、記録装置１０の印刷用ヘッド、モータやホストＰＣ８０との通信部、画像読取部などを含んで構成される。
【００２１】
モータコントロールＩＣ９１は、機能部１５に含まれる各種モータをＣＰＵ１１からの制御信号に対応して駆動させる役割を持つコントロールＩＣである。レギュレータ９２は、直流電源を所定の電圧に昇降圧させるためのレギュレータＩＣである。蓄電池用電源コントロール部９３は、ＣＰＵ１１からの指示に基づき蓄電池２０の電力の充放電をコントロールする電源コントロール部である。
【００２２】
蓄電池残量検知回路９４は、蓄電池２０の電力充放電量を検知するための回路である。動作温度や経年劣化、放電電流によるによる電池セルの特性変化による誤差を少なくするために、インピーダンス・トラック方式を用いることができる。インピーダンス・トラック方式では、使用する電池セルの放電特性や温度特性などの測定データをリファレンスとしてＲＯＭ１２に格納しておき、動作中の電圧、電流、温度をモニターする。しかし、この方式に限定するものではなく、例えば、求められる蓄電池の残電力量の検出精度に応じて電池セル・モデリング方式やクーロン・カウンタ方式などを採用してもよい。
【００２３】
無線給電部３０は、ＭＣＵ３１、送電部３２、給電部電源コントロール部３３、およびインバータ３４を含んで構成される。ＭＣＵ３１は、無線給電部３０を制御する役割を持つ制御ＩＣである。ＭＣＵ３１は、外部機器（例えば、外部受電機器７０）からの電力供給依頼を送電部３２による無線のデータの送受信により検出すると、給電部電源コントロール部３３により、インバータ３４に電源が供給される。
【００２４】
インバータ３４は、外部受電機器７０に電力供給するため、直流電源を交流電源に変換する。送電部３２により変換された交流電源をコイル（不図示）に通電させ、非接触方法にて電力の送信や電力送信状態の通信を外部受電機器７０と双方向で行う。なお、ここでの無線給電の方式は特に限定するものではない。
【００２５】
外部受電機器７０は、外部受電機器７０の機能を制御するＣＰＵ７１、無線受電部７２、受電した電力を蓄電するバッテリ７３を含んで構成される。また、ここでは説明を簡略化するために省略しているが、外部受電機器７０には通信機能や各種演算機能など付加機能が備わっていてもよい。
【００２６】
図３（ａ）は、本願発明に係る記録装置１０における、電力残量と印刷可能枚数との関係性をグラフで示したものである。このグラフは、残電力量と印刷可能枚数との相関により得ることができる。図３（ａ）において、縦軸は蓄電池の電力残量を示し、横軸は印刷可能枚数を示す。
【００２７】
図３（ｂ）は、図３（ａ）のグラフをテーブル化したものである。印刷可能枚数に対応する蓄電池残量は、印刷可能枚数に加えて記録装置１０が一定時間ソフトＯＮ状態を維持できるだけの電力量を加算したものになる。なお、図３では、電力残量に対して、印刷可能枚数（目安）を１つ対応付けているが、これに限定するものではなく、印刷内容や印刷モードなどに応じて印刷可能枚数を対応付けてもよい。もしくは、印刷モードごとにテーブルを設けてもよい。
【００２８】
また、本実施形態では、給電装置として記録装置を例に挙げて説明しているが、他の動作を行う装置に適用する場合には、その機能に応じてテーブルを設けてもよい。
【００２９】
図４は、本実施形態に係る設定画面の構成例を示す。図４に示す設定画面４０１、４０２は、記録装置１０の表示部５０にて表示される。図４（ａ）に示す設定画面４０１は、記録装置１０が外部受電機器７０への給電を停止する場合の蓄電池２０の電力残量の閾値を設定する画面である。本実施形態において、記録装置１０は、蓄電池２０の残量がここで設定した値を下回った場合には、外部受電機器７０への給電を停止することとなる。図４（ａ）では、設定された閾値に対して、印刷可能な枚数の目安を併せて示しているが、この情報に限定するものではなく、設定した値に応じて記録装置１０が可能な動作の情報を提示してもよい。
【００３０】
図４（ｂ）に示す設定画面４０２は、記録装置１０の蓄電池２０に電力を充電している際に外部受電機器７０より給電依頼が来た場合、給電と充電のどちらを優先するかを選択するための画面である。なお、画面構成は上記に限定するものではなく、例えば、図４（ｂ）の設定画面４０２において、現時点における蓄電池２０への充電の割合や、充電が完了するまでの所要時間などを併せて表示するようにしてもよい。
【００３１】
［処理フロー］
（商用電源未接続時）
図５は、記録装置１０が蓄電池２０による駆動を行っている場合の、蓄電池２０から外部受電機器７０への給電を行う際の電力管理方法に係るフローチャートを示す。ここでは、記録装置１０が商用電源に接続されておらず、記録装置１０用の電力として蓄電池２０のみの状態を想定する。まず、記録装置１０が起動している状態（ソフトＯＮ状態）で外部受電機器７０より給電要求があった場合について説明する。
【００３２】
Ｓ５０１にて、記録装置１０は、ソフトＯＦＦ状態となる。ここでのソフトＯＦＦ状態とは、蓄電池２０のみが記録装置１０に電源接続されているが、記録装置１０の機能を起動させる電源ＳＷ１００はユーザーにより押下されてはおらず、一部のシステムのみが起動している状態を指す。ソフトＯＦＦ状態では、レギュレータ９２を介してＣＰＵ１１、ＲＯＭ１２、ＲＡＭ１３、ＥＥＰＲＯＭ１４には電源が供給されており、ＲＯＭ１２に格納されている記録装置駆動用のプログラムは内部のメモリ空間に展開されている。
【００３３】
Ｓ５０２にて、記録装置１０は、外部受電機器７０からの給電要求があるか否かを判定する。給電要求がある場合は（Ｓ５０２にてＹＥＳ）Ｓ５５１へ進み、給電要求が無い場合は（Ｓ５０２にてＮＯ）Ｓ５０３へ進む。
【００３４】
Ｓ５０３にて、記録装置１０は、ユーザーによる電源ＳＷ１００の押下を検知する。電源ＳＷ１００が押下された場合、ＣＰＵ１１に対し記録装置１０のシステム起動のための割り込み信号が発行される。
【００３５】
Ｓ５０４にて、記録装置１０は、発生した割り込み信号により、システムを起動させ、スタンバイ状態とする。ソフトＯＮ状態になると、記録装置１０は、蓄電池残量検知回路９４にて蓄電池２０の電力残量の監視を定期的に行う。この監視の結果として、ＣＰＵ１１を介してＥＥＰＲＯＭ１４の領域Ａに電力残量の情報が随時更新される。
【００３６】
Ｓ５０５にて、記録装置１０は、設定モードへの移行コマンドの入力があるか否かを判定する。ユーザーは、入力部４０により、設定モードへの移行コマンドを入力することができる。そして、設定モードへの移行コマンドが入力されると、記録装置１０は、各種設定が可能な設定モードとなる。設定モードでは、表示部５０に、図４に示すような各種設定画面を介して設定項目や設定値が表示される。設定モードへの移行コマンドの入力がある場合は（Ｓ５０５にてＹＥＳ）Ｓ５０６へ進み、無い場合は（Ｓ５０５にてＮＯ）Ｓ５０９へ進む。
【００３７】
Ｓ５０６にて、記録装置１０は、図４（ａ）に示す設定画面４０１を介して、蓄電池２０の電力残量の閾値の設定を受け付ける。
【００３８】
Ｓ５０７にて、記録装置１０は、Ｓ５０６にて受け付けた電力残量の閾値を、ＥＥＰＲＯＭ１４内の電力残量の情報が保存されている領域Ａとは異なる領域Ｂに格納する。本実施形態において、電力残量の設定値は、図３（ｂ）に示すテーブル３０１に従う。
【００３９】
例えば、ユーザーにより残量設定値をＪ枚と設定した場合、図３（ｂ）のテーブル３０１で相当する電力量は、蓄電池２０の最大蓄電容量の１０％となる。この値を設定値としてＥＥＰＲＯＭ１４の領域Ｂに保存する。また、設定値に関しては、予めある値がＥＥＰＲＯＭ１４の領域Ｂにデフォルト値として保持され、ユーザーによる設定値の変更が無かった場合はこちらを設定値として用いる。
【００４０】
Ｓ５０８にて、記録装置１０は、設定モードを終了し、ソフトＯＮモードに戻る。
【００４１】
Ｓ５０９にて、記録装置１０は、印刷要求があるか否かを判定する。印刷要求がある場合は（Ｓ５０９にてＹＥＳ）Ｓ５１０へ進み、印刷要求が無い場合は（Ｓ５０９にてＮＯ）Ｓ５１１へ進む。ここでの印刷要求は、ホストＰＣ８０から適時受け付け、キューに保持されているものとする。
【００４２】
Ｓ５１０にて、記録装置１０は、印刷要求に従って、印刷動作を行う。印刷動作の後、Ｓ５０４へ戻る。
【００４３】
Ｓ５１１にて、記録装置１０は、外部受電機器７０からの給電要求があるか否かを判定する。給電要求がある場合は（Ｓ５１１にてＹＥＳ）Ｓ５１２へ進み、給電要求が無い場合は（Ｓ５１１にてＮＯ）Ｓ５０４へ戻る。
【００４４】
Ｓ５１２にて、記録装置１０は、ＥＥＰＲＯＭ１４内の領域Ａに格納された蓄電池２０の電力残量と領域Ｂに格納されている電力残量の設定値とを比較する。蓄電池２０の電力残量が設定値より大きい場合（残量設定値＜蓄電池の電力残量）は（Ｓ５１２にてＹＥＳ）Ｓ５１３へ進み、そうでない場合（残量設定値≧蓄電池２０の電力残量）は（Ｓ５１２にてＮＯ）給電を行わず、本処理フローを終了する。
【００４５】
Ｓ５１３にて、記録装置１０は、外部受電機器７０への給電要求に対し、無線給電部３０より給電を開始する。
【００４６】
Ｓ５１４にて、記録装置１０は、設定モードへの移行コマンドの入力があるか否かを判定する。設定モードへの移行コマンドの入力がある場合は（Ｓ５１４にてＹＥＳ）Ｓ５０６へ進み、無い場合は（Ｓ５１４にてＮＯ）Ｓ５１５へ進む。本工程は、給電開始後であっても、設定モードへの変更が可能であることを意味する。
【００４７】
Ｓ５１５にて、記録装置１０は、印刷要求があるか否を判定する。印刷要求がある場合（Ｓ５１５にてＹＥＳ）Ｓ５１８へ進み、無い場合は（Ｓ５１５にてＮＯ）Ｓ５１６へ進む。
【００４８】
Ｓ５１６にて、記録装置１０は、ＥＥＰＲＯＭ１４内の領域Ａに格納された蓄電池２０の電力残量と領域（Ｂ）に格納されている電力残量の設定値とを比較する。蓄電池２０の電力残量が設定値より大きい場合（残量設定値＜蓄電池２０の電力残量）は（Ｓ５１６にてＹＥＳ）Ｓ５１７へ進み、そうでない場合（残量設定値≧蓄電池２０の電力残量）は（Ｓ５１６にてＮＯ）給電を行わず、本処理フローを終了する。本工程は、給電中において、給電継続を行うか否かを定期的に確認するものである。
【００４９】
Ｓ５１７にて、記録装置１０は、外部受電機器７０の充電が完了したか否かを判定する。外部受電機器７０の充電が完了した場合には、外部受電機器７０から充電完了の通知が発行され、これに基づいて判定することができる。充電が完了した場合（Ｓ５１７にてＹＥＳ）本処理フローを終了し、完了していない場合（Ｓ５１７にてＮＯ）Ｓ５１２へ進む。
【００５０】
Ｓ５１８にて、記録装置１０は、給電を中止する。
【００５１】
Ｓ５１９にて、記録装置１０は、印刷要求に基づいて、印刷動作を行う。つまり、外部受電機器７０への給電中に印刷要求割り込みがあった場合には、給電を中止し、印刷要求を優先して処理することとなる。なお、給電を中止した場合には、印刷要求の送信元であるホストＰＣ８０のモニター上に「印刷ジョブのため外部機器への給電を＊＊秒間中断します」といったようなポップアップを表示させてもよい。印刷動作完了後、Ｓ５１２へ進み、記録装置１０は、外部受電機器７０への給電を再開する。
【００５２】
次に、ソフトＯＦＦ時に外部受電機器７０から給電要求がきた場合について説明する。
【００５３】
ソフトＯＦＦ状態において外部受電機器７０より給電要求があった場合（Ｓ５０２にてＹＥＳ）、Ｓ５５１にて、記録装置１０は、蓄電池２０の残量確認を行う。このとき、記録装置１０は、蓄電池２０の残量に関する情報をＥＥＰＲＯＭ１４内の領域Ａに格納する。
【００５４】
Ｓ５５２にて、記録装置１０は、蓄電池２０の電力残量とＥＥＰＲＯＭ１４の領域Ｂに格納されている電力残量の設定値とを比較する。なお、ソフトＯＦＦ状態における電力残量の設定値は、記録装置１０のメモリ領域に前回設定をされていた値を参照する。蓄電池２０の電力残量が設定値より大きい場合（残量設定値＜蓄電池２０の電力残量）は（Ｓ５５２にてＹＥＳ）Ｓ５５３へ進み、そうでない場合（残量設定値≧蓄電池２０の電力残量）は（Ｓ５１２にてＮＯ）給電を行わず、本処理フローを終了する。
【００５５】
Ｓ５５３にて、記録装置１０は、外部受電機器７０からの給電要求に従って電力の給電を開始する。
【００５６】
Ｓ５５４にて、記録装置１０は、給電中において電源ＳＷ１００の押下による割り込み信号が発行されたか否かを判定する。割り込み信号が発生した場合（Ｓ５５４にてＹＥＳ）Ｓ５５８へ進み、発生していない場合（Ｓ５５４にてＮＯ）Ｓ５５５へ進む。
【００５７】
Ｓ５５５にて、記録装置１０は、蓄電池２０の残量確認を行う。
【００５８】
Ｓ５５６にて、記録装置１０は、給電が可能か否かを判定する。つまり、記録装置１０は、Ｓ５５５にて確認した蓄電池２０の電力残量とＥＥＰＲＯＭ１４の領域Ｂに格納されている残量設定値とを比較する。蓄電池２０の電力残量が設定値より大きい場合（残量設定値＜蓄電池２０の電力残量）は（Ｓ５５６にてＹＥＳ）給電を継続し、Ｓ５５７へ進む。そうでない場合（残量設定値≧蓄電池２０の電力残量）は（Ｓ５５６にてＮＯ）、本処理フローを終了する。Ｓ５５５およびＳ５５６の工程は、給電中において、給電継続を行うか否かを定期的に確認するものである。
【００５９】
Ｓ５５７にて、記録装置１０は、外部受電機器７０の充電が完了したか否かを判定する。外部受電機器７０の充電が完了した場合には、外部受電機器７０から充電完了の通知が発行され、これに基づいて判定することができる。充電が完了した場合（Ｓ５５７にてＹＥＳ）給電を終了し、本処理フローを終了する。充電が完了していない場合（Ｓ５５７にてＮＯ）Ｓ５５１へ進む。
【００６０】
Ｓ５５８にて、記録装置１０は、外部受電機器７０への給電を中断する。その後、Ｓ５０４へ進む。
【００６１】
（商用電源接続時）
図６Ａ、図６Ｂは、記録装置１０が商用電源による駆動を行っている場合の、電力管理方法に係るフローチャートを示す。記録装置１０が電源ユニット６０を介して商用電源に接続されている状態を想定している。まず、蓄電池２０が規定値以上に充電されている、もしくは、蓄電池２０は接続されていない状態について述べる。
【００６２】
Ｓ６０１にて、記録装置１０は、ソフトＯＦＦ状態へと遷移する。ソフトＯＦＦの状態では、図５に示すＳ５０１と同様に、レギュレータ９２を介してＣＰＵ１１、ＲＯＭ１２、ＲＡＭ１３、ＥＥＰＲＯＭ１４には電源が供給されており、ＲＯＭ１２に格納されている記録装置駆動用のプログラムは内部のメモリ空間に展開されている。
【００６３】
Ｓ６０２にて、記録装置１０は、蓄電池２０が接続されているか否かの確認を行う。記録装置１０に蓄電池２０が接続されている場合（Ｓ６０２にてＹＥＳ）Ｓ６０３へ進み、接続されていない場合（Ｓ６０２にてＮＯ）Ｓ６０６へ進む。
【００６４】
Ｓ６０３にて、記録装置１０は、蓄電池２０の電力残量確認を行う。
【００６５】
Ｓ６０４にて、記録装置１０は、電力残量が規定値以上か否かを判定する。規定値は、予め設定され、保持されているものとする。規定値として、例えば、蓄電池２０が１００％充電されている場合などが挙げられる。蓄電池２０が規定量以上に充電されている場合は（Ｓ６０４にてＹＥＳ）Ｓ６０５へ進み、規定値より少ない場合は（Ｓ６０４にてＮＯ）Ｓ６３１へ進む。
【００６６】
Ｓ６０５にて、記録装置１０は、蓄電池２０への充電を停止する。
【００６７】
Ｓ６０６にて、外部受電機器７０からの給電要求があるか否かを判定する。給電要求がある場合（Ｓ６０６にてＹＥＳ）Ｓ６２１へ進み、給電要求が無い場合（Ｓ６０６にてＮＯ）Ｓ６０７へ進む。
【００６８】
Ｓ６０７にて、記録装置１０は、電源ＳＷ１００の押下による割り込み信号が発行されたか否かを判定する。割り込み信号が発生した場合（Ｓ６０７にてＹＥＳ）Ｓ６０８へ進み、発生していない場合（Ｓ６０７にてＮＯ）Ｓ６０６へ戻る。
【００６９】
Ｓ６０８にて、記録装置１０は、ソフトＯＮ状態となり、スタンバイ状態とする。その後、Ｓ６０９へ進む。
【００７０】
Ｓ６０９にて、記録装置１０は、設定モードへの移行コマンドが入力されたか否かを判定する。移行コマンドが入力された場合（Ｓ６０９にてＹＥＳ）Ｓ６１０へ進み、入力されていない場合（Ｓ６０９にてＮＯ）Ｓ６１３へ進む。
【００７１】
Ｓ６１０〜Ｓ６１２にて、記録装置１０は、図５のＳ５０６〜Ｓ５０８と同様に、設定モードの動作を行う。商用電源に接続されている状態においても蓄電池２０の電力残量の閾値設定を行うことができるが、この設定は蓄電池２０で動作時に機能する。その後、Ｓ６１３へ進む。
【００７２】
Ｓ６１３にて、記録装置１０は、印刷要求があるか否かを判定する。印刷要求がある場合は（Ｓ６１３にてＹＥＳ）Ｓ６１４へ進み、印刷要求が無い場合は（Ｓ６１３にてＮＯ）Ｓ６１５へ進む。
【００７３】
Ｓ６１４にて、記録装置１０は、印刷動作を行う。その後、Ｓ６０８へ戻る。
【００７４】
Ｓ６１５にて、記録装置１０は、外部受電機器７０からの給電要求があるか否かを判定する。給電要求がある場合は（Ｓ６１５にてＹＥＳ）Ｓ６１６へ進み、給電要求が無い場合は（Ｓ６１５にてＮＯ）Ｓ６０８へ進む。
【００７５】
Ｓ６１６にて、記録装置１０は、外部受電機器７０に対して給電を開始する。給電用の電力としては、商用電源からの電力が用いられる。
【００７６】
Ｓ６１７にて、記録装置１０は、印刷要求があるか否かを判定する。印刷要求がある場合は（Ｓ６１７にてＹＥＳ）Ｓ６１９へ進み、印刷要求が無い場合は（Ｓ６１７にてＮＯ）給電を継続し、Ｓ６１８へ進む。
【００７７】
Ｓ６１８にて、記録装置１０は、外部受電機器７０の充電が完了したか否かを判定する。外部受電機器７０の充電が完了した場合（Ｓ６１８にてＹＥＳ）給電を終了し、本処理フローを終了する。充電が完了していない場合（Ｓ１８にてＮＯ）Ｓ６１７へ戻る。
【００７８】
Ｓ６１９にて、記録装置１０は、外部受電機器７０への給電を中止する。その後、Ｓ６１４へ進む。
【００７９】
Ｓ６０６にて給電要求があると（Ｓ６０６にてＹＥＳ）、Ｓ６２１にて、記録装置１０は、外部受電機器７０への給電を開始する。給電用の電力として、商用電源からの電力が用いられる。
【００８０】
Ｓ６２２にて、記録装置１０は、給電中において電源ＳＷ１００の押下による割り込み信号が発行されたか否かを判定する。割り込み信号が発生した場合（Ｓ６２２にてＹＥＳ）Ｓ６２４へ進み、発生していない場合（Ｓ６２２にてＮＯ）Ｓ６２３へ進む。
【００８１】
Ｓ６２３にて、記録装置１０は、外部受電機器７０の充電が完了したか否かを判定する。外部受電機器７０の充電が完了した場合は（Ｓ６２３にてＹＥＳ）給電を終了し、本処理フローを終了する。充電が完了していない場合（Ｓ６２３にてＮＯ）給電を継続し、Ｓ６２２へ戻る。
【００８２】
Ｓ６２４にて、記録装置１０は、外部受電機器７０への給電を停止する。その後、Ｓ６０８へ進む。
【００８３】
Ｓ６０４にて蓄電量が規定値以上でないと判定された場合（Ｓ６０４にてＮＯ）、Ｓ６３１にて、記録装置１０は、蓄電池２０に対して、商業用電源からの電力にて充電を開始する。
【００８４】
Ｓ６３２にて、記録装置１０は、外部受電機器７０からの給電要求があるか否を判定する。給電要求がある場合（Ｓ６３２にてＹＥＳ）Ｓ６５１へ進み、給電要求が無い場合（Ｓ６３２にてＮＯ）Ｓ６３３に進む。
【００８５】
Ｓ６３３にて、記録装置１０は、電源ＳＷ１００の押下による割り込み信号が発行されたか否かの判定を行う。割り込み信号が発生した場合（Ｓ６３３にてＹＥＳ）Ｓ６３５へ進み、割り込み信号が発生していない場合（Ｓ６３３にてＮＯ）蓄電池２０への充電を継続し、Ｓ６３４へ進む。
【００８６】
Ｓ６３４にて、記録装置１０は、蓄電池２０の蓄電量が規定値以上か否かを判定する。ここでの規定値は、予め設定され、保持されているものとする。蓄電池２０が規定値以上に充電されている場合（Ｓ６３４にてＹＥＳ）Ｓ６０５へ進み、蓄電量が規定値より少ない場合は（Ｓ６３４にてＮＯ）Ｓ６３２へ戻る。
【００８７】
Ｓ６３５にて、記録装置１０は、ソフトＯＮし、ソフトＯＮ状態へ遷移する。
【００８８】
Ｓ６３６にて、記録装置１０は、設定モードへの移行コマンドが入力されたか否かを判定する。移行コマンドが入力された場合（Ｓ６３６にてＹＥＳ）Ｓ６３７へ進み、入力されていない場合（Ｓ６３６にてＮＯ）Ｓ６４０へ進む。
【００８９】
Ｓ６３７〜Ｓ６３９にて、記録装置１０は、図５のＳ５０６〜Ｓ５０８と同様に、設定モードの動作を行う。その後、Ｓ６４０へ進む。
【００９０】
Ｓ６４０にて、記録装置１０は、外部受電機器７０からの給電要求があるか否かを判定する給電要求がある場合（Ｓ６４０にてＹＥＳ）Ｓ６４１へ進み、給電要求が無い場合（Ｓ６４０にてＮＯ）Ｓ６４３へ進む。
【００９１】
Ｓ６４１にて、記録装置１０は、図４（ｂ）に示す設定画面４０２を表示し、蓄電池２０への充電か、外部受電機器７０への給電を優先するかの選択を受け付ける。そして、記録装置１０は、その選択が充電優先である場合（Ｓ６４１にてＹＥＳ）Ｓ６４２へ進み、給電優先である場合（Ｓ６４１にてＮＯ）Ｓ６４５へ進む。
【００９２】
Ｓ６４２にて、記録装置１０は、外部受電機器７０への給電を行わないように制御する。その後、Ｓ６４３へ進む。
【００９３】
Ｓ６４３にて、記録装置１０は、印刷要求があるか否かを判定する。印刷要求がある場合は（Ｓ６４３にてＹＥＳ）Ｓ６４６へ進み、無い場合は（Ｓ６４３にてＮＯ）Ｓ６４４へ進む。
【００９４】
Ｓ６４４にて、記録装置１０は、蓄電池２０の充電が完了したか否かを判定する。充電が完了した場合は（Ｓ６４４にてＹＥＳ）Ｓ６０５へ進み、未完了の場合は（Ｓ６４４にてＮＯ）充電を継続し、Ｓ６３５へ戻る。
【００９５】
Ｓ６４５にて、記録装置１０は、蓄電池２０への充電を停止する。その後、Ｓ６１６へ進む。
【００９６】
Ｓ６４６にて、記録装置１０は、印刷動作を行う。印刷動作が完了した後、Ｓ６３５へ戻る。
【００９７】
Ｓ６３２にて外部受電機器７０からの給電要求があった場合（Ｓ６３２にてＹＥＳ）、記録装置１０は、Ｓ６５１で外部受電機器７０への給電を開始する。
【００９８】
Ｓ６５２にて、記録装置１０は、蓄電池２０が規定量以上に充電されているか否かを判定する。ここでの規定量は予め設定され、保持されているものとする。蓄電池２０が規定量以上に充電されている場合（Ｓ６５２にてＹＥＳ）Ｓ６０５へ進み、そうでない場合（Ｓ６５２にてＮＯ）蓄電池２０への充電を継続し、Ｓ６５３へ進む。つまり、蓄電池２０への充電と送電部３２による非接触無線給電を並行して行うこととなる。
【００９９】
Ｓ６５３にて、記録装置１０は、外部受電機器７０の充電が完了したか否かを判定する。外部受電機器７０の充電が完了した場合は（Ｓ６５３にてＹＥＳ）給電を終了し、本処理フローを終了する。充電が完了していない場合（Ｓ６２３にてＮＯ）給電を継続し、Ｓ６５４へ進む。
【０１００】
Ｓ６５４にて、記録装置１０は、電源ＳＷ１００の押下による割り込み信号が発行されたか否かの判定を行う。割り込み信号が発生した場合（Ｓ６５４にてＹＥＳ）Ｓ６５５へ進み、割り込み信号が発生していない場合（Ｓ６５４にてＮＯ）蓄電池２０への充電を継続し、Ｓ６５２へ進む。
【０１０１】
Ｓ６５５にて、記録装置１０は、外部受電機器７０への給電を中止する。その後、Ｓ６３５へ進む。
【０１０２】
以上、本実施形態では、蓄電池にて給電装置が動作している場合に、蓄電池の電力残量に応じて非接触無線給電の実行を制御する。具体的には、給電装置が蓄電池からの電力により駆動しており且つ蓄電池の電力残量が所定の閾値以上の場合に、非接触無線給電が行われる。一方、給電装置が蓄電池からの電力により駆動しており且つ蓄電池の電力残量が所定の閾値より少ない場合に、非接触無線給電は行われない。ここでの電力残量に対する閾値はユーザーが自身が給電装置に実行させたい動作（ジョブ）に応じて任意に設定可能となる。
【０１０３】
また図６Ａ、図６Ｂに示したように、給電装置は、商用電源からの電力で駆動している場合、給電要求に応じて、非接触無線給電が行われる。このとき、蓄電池の電力残量が上記の所定の閾値以上であるか否かは考慮されなくてもよく、即ち、蓄電池の電力残量が上記の所定の閾値より少ない場合であっても、非接触無線給電が行われる。
【０１０４】
本願発明により、他機に対して無線給電装置を用いて電力供給を行う際に、他機への電力の給電にて自機の駆動に必要な電力量を喪失してしまうことを防止する。つまり、設定値に対応した自機駆動電力を確保し、少なくともユーザーが希望する自機の装置としての機能させる動作状態に必要な電力喪失を未然に防ぐことが可能となる。
【０１０５】
＜その他の実施形態＞
本発明は、上述の実施形態の１以上の機能を実現するプログラムを、ネットワーク又は記憶媒体を介してシステム又は装置に供給し、そのシステム又は装置のコンピューターにおける１つ以上のプロセッサーがプログラムを読出し実行する処理でも実現可能である。また、１以上の機能を実現する回路（例えば、ＡＳＩＣ）によっても実現可能である。
【符号の説明】
【０１０６】
１０：記録装置、２０：蓄電池、３０：無線給電部、４０：入力部、５０：表示部、６０：電源ユニット、７０：外部受電機器、８０：ホストＰＣ、９０：Ｉ／Ｆケーブル、１００：電源ＳＷ
【図１】
2018137921.tif 000003
【図２】
2018137921.tif 000004
【図３】
2018137921.tif 000005
【図４】
2018137921.tif 000006
【図５】
2018137921.tif 000007
【図６Ａ】
2018137921.tif 000008
【図６Ｂ】
2018137921.tif 000009